【手続補正書】
【提出日】平成20年6月2日(2008.6.2)
【手続補正１】
【補正対象書類名】特許請求の範囲
【補正対象項目名】全文
【補正方法】変更
【補正の内容】
【特許請求の範囲】
【請求項１】
電子機器本体と、
前記電子機器本体に設けられた第１案内部に案内される第１被案内部を有し前記電子機器本体に対して傾動可能なパネル本体と、
前記電子機器本体に設けられた第２案内部に案内される第２被案内部を有し前記パネル本体をスライド可能に保持する保持部材と、
を備えたことを特徴とする電子機器。
【請求項２】
前記パネル本体の側部一方側を変位させる作動部と、
前記保持部材に設けられた第３案内部を摺動すると共に前記パネル本体に設けられた係合部と、を備え、
前記第１被案内部は、前記パネル本体の側部他方側上方に形成され、
前記第２被案内部は、前記保持部材の一方端部近傍に形成され、
前記電子機器本体は、装着枠体を有し、
前記第１及び第２案内部は、前記パネル本体の側部に対向する前記装着枠体の内側面に互いに平行して形成された第１及び第２摺動面であり、
前記作動部の駆動により、前記第１及び第２被案内部がそれぞれ前記第１及び第２摺動面に沿って移動すると共に前記係合部が前記第３案内部を摺動することを特徴とする請求項１に記載の電子機器。
【請求項３】
前記第１及び第２被案内部は、ローラーを備えることを特徴とする請求項１に記載の電子機器。
【請求項４】
前記パネル本体の側部一方側近傍に設けられた第１取付部と、
前記保持部材の他方端部近傍に設けられた第２取付部と、
両端部のそれぞれが前記第１及び第２取付部に取り付けられると共に前記保持部材を前記第１取付部の方向へ付勢する付勢部材を備えることを特徴とする請求項１に記載の電子機器。
【請求項５】
前記保持部材は、前記パネル本体の両側部に配置される遊動板と、前記パネル本体の背面に配置される前記各遊動板を接続する遊動背板とを有することを特徴とする請求項１に記載の電子機器。
【請求項６】
前記第２案内部の下方部は、前記作動部の作動方向一方側に湾曲していることを特徴とする請求項２に記載の電子機器。
【請求項７】
前記第２案内部は、溝であることを特徴とする請求項１に記載の電子機器。
【請求項８】
前記第１案内部は、前記装着枠体の前面に設けられていることを特徴とする請求項２に記載の電子機器。
【請求項９】
前記パネル本体は、表示パネルを有し、
前記保持部材と前記表示パネルとのガタつきを防止するガタつき抑制部を備えていることを特徴とする請求項１に記載の電子機器。
【請求項１０】
前記ガタつき抑制部は、前記保持部材に設けられた第４案内部と、前記第４案内部と嵌合し前記保持部材に対する前記パネル本体の移動を許容するガタつき抑制部材と、を備えていることを特徴とする請求項９に記載の電子機器。
【請求項１１】
前記ガタつき抑制部は、前記パネル本体の背面と前記保持部材との距離を規制することを特徴とする請求項９に記載の電子機器。
【請求項１２】
前記ガタつき抑制部は、前記パネル本体の背面と前記保持部材との間に配置され、前記パネル本体の背面と前記保持部材との接触を緩衝する緩衝部材を備えていることを特徴とする請求項９に記載の電子機器。
【請求項１３】
前記表示パネルは、同一画面上に複数の視方向に対する個別画像を表示することを特徴とする請求項９に記載の電子機器。
【手続補正２】
【補正対象書類名】明細書
【補正対象項目名】発明の名称
【補正方法】変更
【補正の内容】
【発明の名称】電子機器
【手続補正３】
【補正対象書類名】明細書
【補正対象項目名】０００１
【補正方法】変更
【補正の内容】
【０００１】
本発明は、パネルを傾動操作できるパネル傾動装置を備えた電子機器に関し、特に、例えば、車両に搭載されるナビゲーション装置における表示パネルを円滑に且つ自在に傾動することができるパネル傾動装置を備えた電子機器に関する。
【手続補正４】
【補正対象書類名】明細書
【補正対象項目名】００１４
【補正方法】変更
【補正の内容】
【００１４】
そこで、本発明は、ナビゲーション装置などの電子機器の前面に組み込まれるパネルに関して、パネル本体の厚さが増大しても、更に、パネル本体の重量が重くなっても、電子機器に備えられたパネル傾動用駆動源をそのまま利用でき、該パネルを円滑に且つ自在に傾動操作することができるパネル傾動装置を備えた電子機器を提供することを目的とする。
【手続補正５】
【補正対象書類名】明細書
【補正対象項目名】００１５
【補正方法】変更
【補正の内容】
【００１５】
以上の課題を解決するために、本発明による電子機器では、電子機器本体と、前記電子機器本体に設けられた第１案内部に案内される第１被案内部を有し前記電子機器本体に対して傾動可能なパネル本体と、前記電子機器本体に設けられた第２案内部に案内される第２被案内部を有し前記パネル本体をスライド可能に保持する保持部材と、を備えた。
【手続補正６】
【補正対象書類名】明細書
【補正対象項目名】００１６
【補正方法】変更
【補正の内容】
【００１６】
そして、さらに、前記パネル本体の側部一方側を変位させる作動部と、前記保持部材に設けられた第３案内部を摺動すると共に前記パネル本体に設けられた係合部と、を備え、前記第１被案内部は、前記パネル本体の側部他方側上方に形成され、前記第２被案内部は、前記保持部材の一方端部近傍に形成され、前記電子機器本体は、装着枠体を有し、前記第１及び第２案内部は、前記パネル本体の側部に対向する前記装着枠体の内側面に互いに平行して形成された第１及び第２摺動面であり、前記作動部の駆動により、前記第１及び第２被案内部がそれぞれ前記第１及び第２摺動面に沿って移動すると共に前記係合部が前記第３案内部を摺動することとした。
【手続補正７】
【補正対象書類名】明細書
【補正対象項目名】００１７
【補正方法】変更
【補正の内容】
【００１７】
また、前記第１及び第２被案内部は、ローラーを備えることとした。さらに、前記パネル本体の側部一方側近傍に設けられた第１取付部と、前記保持部材の他方端部近傍に設けられた第２取付部と、両端部のそれぞれが前記第１及び第２取付部に取り付けられると共に前記保持部材を前記第１取付部の方向へ付勢する付勢部材を備えることとし、前記保持部材は、前記パネル本体の両側部に配置される遊動板と、前記パネル本体の背面に配置される前記各遊動板を接続する遊動背板とを有することとした。
【手続補正８】
【補正対象書類名】明細書
【補正対象項目名】００１８
【補正方法】変更
【補正の内容】
【００１８】
前記第２案内部の下方部は、前記作動部の作動方向一方側に湾曲し、或いは、前記第２案内部は、溝であることとした。また、前記第１案内部は、前記装着枠体の前面に設けられていることとし、前記パネル本体は、表示パネルを有し、前記保持部材と前記表示パネルとのガタつきを防止するガタつき抑制部を備えていることとした。
【手続補正９】
【補正対象書類名】明細書
【補正対象項目名】００１９
【補正方法】変更
【補正の内容】
【００１９】
前記ガタつき抑制部は、前記保持部材に設けられた第４案内部と、前記第４案内部と嵌合し前記保持部材に対する前記パネル本体の移動を許容するガタつき抑制部材と、を有し、前記ガタつき抑制部は、前記パネル本体の背面と前記保持部材との距離を規制することとし、或いは、前記ガタつき抑制部は、前記パネル本体の背面と前記保持部材との間に配置され、前記パネル本体の背面と前記保持部材との接触を緩衝する緩衝部材を備えていることとした。
【手続補正１０】
【補正対象書類名】明細書
【補正対象項目名】００２０
【補正方法】変更
【補正の内容】
【００２０】
前記表示パネルは、同一画面上に複数の視方向に対する個別画像を表示することとした。